(57)【要約】【課題】  マトリクス型式の表示パネルを駆動する際に発生する電磁波により生じる映像品質への影響を抑制し、映像品質の飛躍的な向上を図る。【解決手段】  表示装置ＤＩＳは、ＴＶ放送波受信用のチューナ１における受信周波数ｆ１を周波数可変部５において検出し、システムクロック発生回路２３及び駆動クロック発生回路３２から出力されるシステムクロック信号Ｓｃｋの周波数ｆ２及び駆動クロック信号Ｇｃｋの周波数ｆ３を可変させ、これらクロック信号発生時に生じる電磁波に起因する映像品質の劣化を抑制する。また、かかるクロック信号Ｓｃｋ及びＧｃｋの変更に伴い、ＰＤＰ４に供給する駆動信号の周波数ｆ４を可変させ、更にサステインパルスＩＰｙ及びＩＰｘの波形を変化させてＰＤＰ４から放射される不要輻射の電磁波を抑制し、映像品質の向上を実現する。【選択図】  図１
2006237997.tif 000002
【特許請求の範囲】
【請求項１】
複数の画素がマトリクス上に配列されたマトリクス型式の表示パネルに各種映像を表示させるための表示制御装置であって、
放送されてきた映像信号を受信する受信手段と、
前記受信された映像信号の周波数を第１周波数として検出する検出手段と、
信号処理の基準となる基準クロック信号を第２周波数にて生成する基準クロック生成手段と、
前記基準クロック信号に従い前記映像信号に対する信号処理を施す処理手段と、
前記信号処理後の前記映像信号を用いて前記表示パネルを駆動するための駆動信号を第３周波数にて生成し、当該駆動信号を前記表示パネルに供給する表示パネル駆動手段と、
前記検出手段における前記第１周波数の検出結果に応じて、前記第２周波数及び第３周波数の少なくとも何れか一方を変更させる制御手段と
を備えることを特徴とする表示制御装置。
【請求項２】
前記発生手段は、前記受信手段における前記映像信号の受信に影響を与えない周波数に前記第２周波数及び前記第３周波数の少なくとも何れか一方を変更させることを特徴とする請求項１に記載の表示制御装置。
【請求項３】
前記発生手段は、前記第２周波数及び第３周波数の整数倍の値が前記第１周波数と異なった値となるように前記第２周波数及び第３周波数の何れか一方を変更させることを特徴とする請求項１又は２に記載の表示制御装置。
【請求項４】
前記表示パネル駆動手段は、
前記駆動信号を生成する際の基準となる駆動クロック信号を第４周波数にて生成する駆動クロック生成手段と、
前記第４周波数の駆動クロック信号に基づいて前記駆動信号を前記第３周波数にて生成する駆動信号生成手段と、を更に備え、
前記制御手段は、前記第４周波数を可変させることにより第３周波数を変更させることを特徴とする請求項１乃至３の何れか一項に記載の表示制御装置。
【請求項５】
前記表示パネル駆動手段は、前記第１周波数に基づいて前記表示パネルに供給される前記駆動信号の波形を変更することを特徴とする請求項１乃至４の何れか一項に記載の表示制御装置。
【請求項６】
前記表示パネル駆動手段は、
複数の信号成分から構成される制御信号を生成する制御信号生成手段と、
前記制御信号に基づいて前記駆動信号を生成する駆動信号生成手段と、を更に備え、
前記制御信号生成手段は、前記検出された第１の周波数に基づいて前記制御信号に含まれる各信号成分の出力時間を可変させ、
前記駆動信号生成手段は、前記制御信号に含まれる前記信号成分の入力時間に応じて、前記駆動信号の電圧値の立ち上がり時間及び立ち下がり時間を可変させることを特徴とする請求項５に記載の表示制御装置。
【請求項７】
前記表示パネル駆動手段は、前記駆動信号の有するエネルギー値に変動を与えることなく、前記駆動信号の波形を変化させることを特徴とする請求項５又は６に記載の表示制御装置。
【請求項８】
請求項１乃至７の何れか一項に記載の表示制御装置と、
複数の画素がマトリクス上に配列されたマトリクス型式の表示パネルと、
を備えることを特徴とする表示装置。
【請求項９】
複数の画素がマトリクス上に配列されたマトリクス型式の表示パネルに、放送されてきた映像信号に対応した各種映像を表示させるための表示制御装置における表示制御方法であって、
前記表示制御装置に搭載された受信手段により受信された映像信号の周波数を第１周波数として検出する第１ステップと、
前記信号処理の基準となる基準クロック信号を生成する際の第２周波数及び前記映像信号を用いて前記表示パネルを駆動するための駆動信号生成する際の第３周波数の少なくとも何れか一方を、前記検出された第１周波数に基づいて変更させる第２ステップと、
当該変更された第２周波数にて前記基準クロック信号を生成する第３ステップと、
前記基準クロック信号に従い前記映像信号に対する信号処理を施す第４ステップと、
前記信号処理後の前記映像信号を用いて前記表示パネルを駆動するための駆動信号を当該変更された第３周波数にて生成し、当該駆動信号を前記表示パネルに供給する第５ステップと、
を備えることを特徴とする表示制御方法。
【発明の詳細な説明】
【技術分野】
【０００１】
本願はＰＤＰ（Plasma Display Panel）や液晶表示パネルのようなマトリクス型式の表示パネルに対する表示制御技術に関する。
【背景技術】
【０００２】
近年、表示装置の薄型化を実現するため、ＰＤＰや液晶表示パネルのような、所謂、マトリクス型式の表示パネルが各種提供されるようになっている。この種の表示装置においてはデジタル形式の駆動信号を用いて表示パネルが駆動されるため、装置内に搭載された回路から不要輻射として電磁波が放射されてしまう。かかる電磁波は表示装置に搭載された放送受信用チューナにおける、放送受信時のノイズとなり映像品質の劣化を招来する。そこで、従来、表示パネル駆動時に発生する電磁波の影響を防止するための各種提案がなされている（例えば、特許文献１参照）。
【特許文献１】特開２０００−３３８９３２号公報
【発明の開示】
【発明が解決しようとする課題】
【０００３】
ところで、上述した従来の方法においては、表示パネルに印可する駆動信号の印加周期を時間の経過に伴って変動させることにより、発生する電磁波のスペクトルを分散させて、当該電磁波の固有周波数が放送波の受信周波数近辺に集中することを防止する方法を採用していた。しかしながら、この方法は、所定期間毎に駆動信号の周期を変更する構成を有するものにすぎないため、不要輻射として発生する電磁波（及び、その高調波成分）の周波数が放送波の受信周波数と一致し、映像品質の劣化を生じる可能性があった。
【０００４】
本願は以上説明した事情に鑑みてなされたものであり、その課題の一例としては、マトリクス型式の表示パネルを駆動する際に発生する電磁波により生じる映像品質への影響を抑制し、映像品質の飛躍的な向上を図ることが可能な表示制御装置及び表示装置を提供することを目的とする。
【課題を解決するための手段】
【０００５】
上述した課題を解決するため、本願の一つの観点において請求項１に記載の表示制御装置は、複数の画素がマトリクス上に配列されたマトリクス型式の表示パネルに各種映像を表示させるための表示制御装置であって、放送されてきた映像信号を受信する受信手段と、前記受信された映像信号の周波数を第１周波数として検出する検出手段と、信号処理の基準となる基準クロック信号を第２周波数にて生成する基準クロック生成手段と、前記基準クロック信号に従い前記映像信号に対する信号処理を施す処理手段と、前記信号処理後の前記映像信号を用いて前記表示パネルを駆動するための駆動信号を第３周波数にて生成し、当該駆動信号を前記表示パネルに供給する表示パネル駆動手段と、前記検出手段における前記第１周波数の検出結果に応じて、前記第２周波数及び第３周波数の少なくとも何れか一方を変更させる制御手段とを具備することを特徴とする。
【０００６】
また、本願の他の観点において請求項８に記載の表示装置は、請求項１乃至７の何れか一項に記載の表示制御装置と、複数の画素がマトリクス上に配列されたマトリクス型式の表示パネルと、を備えることを特徴とする。
【０００７】
更に、本願の他の観点において請求項９に記載の表示制御方法は、複数の画素がマトリクス上に配列されたマトリクス型式の表示パネルに、放送されてきた映像信号に対応した各種映像を表示させるための表示制御装置における表示制御方法であって、前記表示制御装置に搭載された受信手段により受信された映像信号の周波数を第１周波数として検出する第１ステップと、前記信号処理の基準となる基準クロック信号を生成する際の第２周波数及び前記映像信号を用いて前記表示パネルを駆動するための駆動信号生成する際の第３周波数の少なくとも何れか一方を、前記検出された第１周波数に基づいて変更させる第２ステップと、当該変更された第２周波数にて前記基準クロック信号を生成する第３ステップと、前記基準クロック信号に従い前記映像信号に対する信号処理を施す第４ステップと、前記信号処理後の前記映像信号を用いて前記表示パネルを駆動するための駆動信号を当該変更された第３周波数にて生成し、当該駆動信号を前記表示パネルに供給する第５ステップと、を備えることを特徴とする。
【発明を実施するための最良の形態】
【０００８】
以下、図面を参照しつつ、本願の実施の形態について説明する。なお、以下の実施形態は、所謂、サブフィールド法により駆動されるＰＤＰを搭載した表示装置に本願の表示制御装置を適用したものである。但し、同実施形態は、あくまでも、本願の一例にすぎず、本願の表示制御装置は、液晶パネル等のマトリクス型式の表示パネルを搭載した全ての表示装置に適用可能なものである。
【０００９】
なお、ここにいう「サブフィールド法」とは、映像信号の１フィールドをＮ個のサブフィールドに分割すると共に、各サブフィールド毎にＰＤＰを発光させて、一つのフィールドに対応した映像を表示する方法を意味している。
【００１０】
［１］実施形態
［１．１］第１実施形態の構成
まず、表示装置ＤＩＳの構成を示すブロック図である図１を参照しつつ、本実施形態の概要について説明する。同図に示すように本実施形態にかかる表示装置ＤＩＳは、大別して、チューナ１と、映像処理回路２と、パネル駆動回路３と、ＰＤＰ４と、周波数可変部５と、を有している。この表示装置ＤＩＳは、地上アナログ放送等の放送波をチューナ１において受信し、当該放送波に含まれる映像信号Ｓｔｖを映像処理回路２においてデジタル処理すると共に、当該デジタル処理後の信号に基づきＰＤＰ４を駆動して、放送番組に対応した映像を表示するためのものとなっている。
【００１１】
ここで、この表示装置ＤＩＳのようにマトリクス形式の表示パネル（具体的にはＰＤＰ４）を搭載した表示装置においては、不要輻射としての電磁波及びその高調波（以下、単に「電磁波」という。）に起因して映像品質の劣化が生じてしまう。かかる劣化の要因となりうる電磁波の発生源は、（発生源１）動作用のクロックを生成するシステムクロック発生回路２３及び駆動クロック発生回路３２と、（発生源２）ＰＤＰ４、が挙げられる。よって、両発生源から生じる電磁波を削減することができれば、映像品質の劣化を抑制することが可能となる。
【００１２】
そこで、本実施形態においては、次の方法を採用することとした。
（１）クロック信号生成時に発生する電磁波に対する対策
まず、動作クロックを発生させているシステムクロック発生回路２３及び駆動クロック発生回路３２から放射される電磁波の周波数は、両回路２３及び３２から出力されるクロック信号のクロック周波数に依存し、各回路２３及び３２から出力されるクロック信号の周波数を、各々、ｆ２及びｆ３とすると、不要輻射に対応した電磁波スペクトルの中心周波数も、夫々、ｆ２及びｆ３となる（高調波成分の周波数は、各々、ｆ２及びｆ３の整数倍）。この電磁波の中心周波数ｎｆ２（ｎは任意の整数）及びｍｆ３（ｍは任意の整数）が受信周波数ｆ１の値と等しくなり、又は、極めて近接した周波数となると当該電磁波が放送波と共にチューナ１に受信されて、ビートノイズが発生し、映像品質の劣化要因となる。そこで、本実施形態においては、これらシステムクロック発生回路２３及び駆動クロック発生回路３２において信号生成時に生じる電磁波に起因する映像品質の劣化を防止すべく、周波数可変部５においてチューナ１の受信周波数ｆ１を検出し、当該検出結果に基づいて上記周波数ｆ２及びｆ３の値を可変させて周波数ｆ１とｎｆ２、ｍｆ３が近接しないようにすることとした。
（２）ＰＤＰに起因する電磁波に対する対策
一方、ＰＤＰ４から発生する電磁波についても同様に、当該電磁波（高調波成分を含む）スペクトルの中心周波数ｔｆ４（ｔは任意の整数）が受信周波数ｆ１と等しくなり又は極めて近接した周波数となると、当該電磁波がノイズとなり映像品質の劣化要因となってしまう。従って、映像品質を向上させる観点からは、この電磁波の周波数ｔｆ４を可変させ、当該周波数ｔｆ４が受信周波数ｆ１と等しくならないようにする必要がある。
【００１３】
この点、本実施形態においては、次の２つの方法を併用することにした。
【００１４】
＜方法１＞
まず、一般にＰＤＰ４において発生する電磁波（及びその高調波）の中心周波数ｔｆ４は、ＰＤＰ４に印加される駆動信号の周波数（例えば、図５における画素データパルスＤＰｊ及びサステインパルスＩＰｙ、ＩＰｘの印加周波数）に依存し、
駆動信号の周波数×ｔ（ｔは整数）≒電磁波スペクトルの中心周波数
なる関係（すなわち、駆動信号の周波数≒ｆ４なる関係）を呈することが知られている。本実施形態においては、かかる特性に着目し、周波数可変部５においてチューナ１の受信周波数ｆ１を検出して、当該検出結果に基づいて駆動信号の周波数ｆ４を可変させ、周波数ｆ１とＰＤＰ４から発生する電磁波の周波数ｔｆ４が近接しないようにすることとした（方法１）。これにより、ＰＤＰ４において発生する不要輻射としての電磁波に起因する影響を大幅に低減することが可能となる。なお、駆動信号の周波数ｆ４の変更方法については後に詳述する。
【００１５】
＜方法２＞
また、本願完成に至る実験において、以下に説明する方法２を上記方法１と併用することによって、ＰＤＰ４に起因する電磁波の発生量自体を抑制し、映像品質の更なる向上を図ることが可能であることに想到した。まず、本願完成に至る実験において、駆動信号の波形と、ＰＤＰ４から発生する電磁波との関係を調査したところ、両者間には、以下に示すような関係が成立していることが判明した。
＜関係１＞  ＰＤＰ４から発生する電磁波中に、駆動信号の立ち上がり及び立ち下がり特性に依存する周波数成分が存在すること。
＜関係２＞  ＰＤＰ４に供給する駆動信号に対して急峻な立ち上がり及び立ち下がり特性を持たせてしまうと（すなわち、高周波成分を多く含む方形波状の駆動信号を供給すると）、不要放射としての電磁波の発生量が増加すること。
【００１６】
そこで、本実施形態においては、上記方法１と併せて、ＰＤＰ４に供給する駆動信号の波形を可変させてＰＤＰ４から放射される電磁波の放射量自体を減少させ、併せて、駆動信号の波形に依存する周波数成分が受信周波数ｆ１に近接することを防止させることとした（方法２）。
【００１７】
以下、本実施形態にかかる表示装置ＤＩＳの具体的な構成について説明する。
【００１８】
まず、ＰＤＰ４は、従来のＰＤＰと同様に、表示領域の垂直方向に列電極Ｄｋ（ｋ＝１、２、・・・、ｍ）が設けられると共に、表示領域の水平方向に行電極Ｙｌ（ｌ＝１、２、・・・ｎ）と行電極Ｘｌが設けられている。これら行電極Ｙｌと行電極Ｘｌは、対応する行電極同士平行に形成されており、一の列電極Ｄｋと、一の行電極対Ｙｌ、Ｘｌが交差する領域に発光体としてのセルＣＬが形成されている。各セルＣＬは、列電極Ｄｋ及び行電極Ｙｌ、Ｘｌに供給される信号に応じて、所定の壁電荷を生じさせることにより発光、非発光を繰り返すようになっており、各セルＣｌの発光状態に応じて各種の映像が表示される。
【００１９】
次いで、チューナ１は、地上アナログ放送やＢＳアナログ放送等のアナログ放送用のチューナであり、アンテナＡＴを介して各放送局から送信された放送波を受信する。そして、チューナ１は受信対象となる放送波をＴＶ用の映像信号Ｓｔｖおよび音声信号に復調して、音声信号については図示せぬ音声出力系に出力する一方、映像信号Ｓｔｖについては、映像処理回路２の同期検出回路２１及び表示データ生成部２４に供給する。
【００２０】
映像処理回路２は、チューナ１から供給される映像信号Ｓｔｖに対して、Ａ／Ｄ（アナログ／デジタル）変換及び所定の信号処理を施して、パネル駆動回路３に供給するための要素であり、同期検出回路２１と、ＰＬＬ回路２２と、システムクロック発生回路２３と、表示データ生成部２４と、を有している。
【００２１】
この映像処理回路２の同期検出回路２１は、チューナ１から供給される映像信号Ｓｔｖに含まれている垂直同期信号及び水平同期信号を検出すると共に、各同期信号の検出タイミングに同期して水平同期検出信号Ｈ及び垂直同期検出信号Ｖを生成し、夫々、ＰＬＬ回路２２とパネル駆動回路３の駆動制御部３３に供給する。ＰＬＬ回路２２は、表示データ生成部２４において映像信号Ｓｔｖのサンプリングを行う際の基準となるサンプリングクロック信号Ｔｃｋを水平同期検出信号Ｈに位相同期させつつ生成し、当該生成したサンプリングクロック信号Ｔｃｋを表示データ生成部２４に供給する。
【００２２】
システムクロック発生回路２３は、水晶発振素子２３１を有しており、この水晶発振素子２３１に対して所定の電圧を印可することによってクロック信号を生成し、システムクロック信号Ｓｃｋ（周波数ｆ２）として表示データ生成部２４及びパネル駆動回路３の駆動制御部３３に供給する。なお、「特許請求の範囲」における「基準クロック信号」は、例えば、このシステムクロック信号Ｓｃｋに対応している。ここで上述したように、システムクロック信号Ｓｃｋの周波数ｆ２の値がチューナ１の受信周波数ｆ１に対して、ｆ１≒ｎｆ２、なる関係を満たすようになるとシステムクロック信号Ｓｃｋの発信時に発生する電磁波が映像品質の劣化要因となってしまう。そこで、本実施形態においては周波数可変部５から制御信号を供給することにより、システムクロック信号Ｓｃｋの周波数ｆ２の値を可変させることとしている。
【００２３】
なお、システムクロック発生部３２における周波数の可変方法については、任意であり、周波数ｆ２を所定時間毎に経時的に逐次変動させる（すなわち、所定クロック数毎に周波数ｆ２を可変させる）ようにしても良いが、本実施形態においては説明の具体化のため、周波数ｆ２を一律に変化させる方法を採用しているものとして説明を行い（すなわち、周波数ｆ２は受信周波数ｆ１と異なる周波数に固定）、他の方法については後述することとする。この周波数ｆ２を一律に変化させる方法としては、例えば、水晶発振素子３２１における発信周波数自体を可変させるようにしても良いし、出力信号に対して周波数変調を施すための変調回路を設け、この変調周波数を周波数可変部５からの制御信号に基づいて変更させる方法を用いるようにしても良い。
【００２４】
表示データ生成部２４は、ＰＬＬ回路２２から供給されるサンプリングクロック信号Ｔｃｋに従いチューナ１から供給されるＴＶ信号ＳｔｖにＡ／Ｄ変換を施す。そして、表示データ生成部２４は、システムクロック信号Ｓｃｋを用いて当該変換後のデジタル信号に対して所定の信号処理（より具体的には、誤差拡散処理又はディザ処理等）を施して、表示データＳｄを生成する。この際、表示データ生成部２４は、各サブフィールド単位にて表示データＳｄを生成し、当該生成した表示データＳｄをパネル駆動回路３のフレームメモリに順次供給する。
【００２５】
次いで、パネル駆動回路３は、映像処理回路２から供給される表示データＳｄに基づいてＰＤＰ４を駆動し、放送番組に対応した映像を表示させるための回路であり、フレームメモリ３１と、駆動クロック発生回路３２と、駆動制御部３３と、駆動部３４と、を有する。
【００２６】
フレームメモリ３１は、例えば、ＶＲＡＭにより構成されており、駆動制御部３３から供給される制御信号Ｓｃに従って表示データ生成部２４から供給される表示データＳｄを一時的に記録する。そして、このフレームメモリ３１に記録された表示データＳｄは制御信号Ｓｃに含まれる読み出しタイミング信号に従って１ライン毎に読み出され、順次、駆動部３４のアドレスドライバ３４１に供給される。
【００２７】
駆動クロック発生回路３２は、水晶発振素子３２１を有しており、この水晶発振素子３２１に所定の電圧を印可することによって周波数ｆ３のクロック信号を生成し、駆動クロック信号Ｇｃｋとして駆動制御部３３に供給する。なお、「特許請求の範囲」における「駆動クロック信号」は、例えば、この駆動クロック信号Ｇｃｋに対応している。この駆動クロック発生回路３２において発生する電磁波についても上述のように映像品質の劣化要因となるため、本実施形態においては周波数可変部５から制御信号を供給することにより水晶発振素子３２１に印可する電圧値を変更し、駆動クロック信号Ｇｃｋの周波数ｆ３の値を可変させることとしている。なお、駆動クロック発生回路３２における周波数ｆ３の可変方法についても上記システムクロック発生回路２３と同様に任意である。
【００２８】
次いで、駆動制御部３３は、例えば、ＣＰＵにより構成され、フレームメモリ３１及び駆動部３４を制御する。例えば、この駆動制御部３３はシステムクロック発生回路２３から供給されるシステムクロック信号Ｓｃｋと同期した制御信号Ｓｃを生成し、フレームメモリ３１に供給する。また、駆動制御部３３は、駆動クロック発生回路から供給される駆動クロック信号Ｇｃｋに同期してリセット信号Ｔｒを生成して駆動部３４の第１及び第２サステインドライバ３４２及び３４３に供給する。更に、駆動制御部３３は、駆動クロック信号Ｇｃｋに基づいてデータタイミング信号Ｔｄを生成し、駆動部３４のアドレスドライバ３４１及び第２サステインドライバ３４３に供給すると共に、維持発光タイミング信号Ｔｙ及びＴｘを生成し、夫々、第１サステインドライバ３４２及び第２サステインドライバ３４３に供給する。
【００２９】
ここで、システムクロック信号Ｓｃｋ及び駆動クロック信号Ｇｃｋの周波数ｆ２及びｆ３の値は、上述のようにチューナ１における受信周波数ｆ１に応じて変更されるものであるため、この周波数ｆ２及びｆ３の変化に応じて制御信号Ｓｃ、リセット信号Ｔｒ、データタイミング信号Ｔｄ及び維持発光タイミング信号Ｔｙ及びＴｘの周波数が可変されることとなる。この点については、後に詳述する。
【００３０】
次いで、駆動部３４は、フレームメモリ３１から供給される表示データＳｄに基づいてＰＤＰ４を駆動するための要素であり、アドレスドライバ３４１と、第１サステインドライバ３４２と、第２サステインドライバ３４３と、から構成される。この駆動部３４は、図５（詳しくは後述）に示すように、リセット期間、アドレス期間、及びサステイン期間を１サブフィールドとして、これをＮ回繰り返し、最後に全セルに消去パルスを印加して壁電荷が消去された状態にリセットするメイン消去を実行することで、１フィールド分の表示データＳｄに対応した映像をＰＤＰ４に表示させるようになっている。なお、ここにいう、（ａ）リセット期間とは、ＰＤＰ４の全セルＣＬに対してリセットパルスＲＰｘ及びＲＰｙを印加する信号印加期間であり、（ｂ）アドレス期間とは、表示データＳｄに基づいて各セルＣＬを選択的に放電せしめて、以後のサステイン期間における各セルＣＬの発光状態又は非発光状態の設定をする期間である。また、（ｃ）サステイン期間とは、ＰＤＰ４の各セルＣＬに対してサステインパルスＩＰｙ及びＩＰｘ（図５参照）を印可することで発光状態の各セルＣＬにおける発光状態を維持させるための期間である。
【００３１】
ここで、この駆動部３４について図２を参照しつつ詳細に説明する。
【００３２】
まず、これらの要素中、アドレスドライバ３４１は、ＰＤＰ４に設けられた列電極Ｄｋを駆動するためのドライバ回路でありフレームメモリ３１から供給される表示データＳｄに基づき画素データパルスＤＰｊ（図５参照）を発生させ、駆動制御部３３から供給されるデータタイミング信号Ｔｄに同期して、順次、各列電極Ｄｋに印可する。
【００３３】
一方、第１サステインドライバ３４２及び第２サステインドライバ３４３は、夫々、ＰＤＰ４の行電極Ｙｌ及びＸｌを駆動するためのドライバ回路となっており、駆動制御部３３から供給されるリセット信号Ｔｒ、データタイミング信号Ｔｄ、維持発光タイミング信号Ｔｙ及びＴｘに従って、行電極Ｙｌ及びＸｌに対して各種の駆動信号を印可する。この第１サステインドライバ３４２と第２サステインドライバ３４３は、図２に示すように、両ドライバに共通の要素としてサステインパルス発生部とリセットパルス発生部とを有する他、第１サステインパルスドライバ３４２には更にスキャンパルス発生部が設けられている。
【００３４】
このリセットパルス発生部は、電源Ｂ２（第２サステインドライバ３４３においてはＢ２２。以下、括弧内は第２サステインドライバ３４３の要素を意味するものとする。）と、これに直列に接続されたトランジスタＱ５（Ｑ５５）及び緩衝用抵抗Ｒ１（Ｒ１１）から構成され、このトランジスタＱ５（Ｑ５５）のゲートにはリセット信号Ｔｒに対応した信号ＧＴ５（ＧＴ５５）が供給されるようになっている。そして、この信号ＧＴ５（ＧＴ５５）に応じてトランジスタＱ５（Ｑ５５）がオンすることにより、リセットパルス発生部から全ての行電極Ｘｌ及びＹｌに対して同時にリセットパルスＲｐｙ及びＲｐｘ（図５参照）が印可される。なお、このリセットパルスＲｐｙ及びＲｐｘが印加されると、ＰＤＰ４の全セルＣＬにおいて一斉にリセット放電が生じ、この放電の収束後、全てのセルＣＬに所定量の壁電荷が蓄積されて発光可能な状態となる。
【００３５】
次いで、スキャンパルス発生部は、図２に示すようにトランジスタＱ６〜Ｑ８と、電源Ｂ３及びＢ４と、ダイオードＤ４及びＤ５と、抵抗Ｒ２から構成されており、スキャンパルスＳＰ（図５参照）を行電極Ｙｌに印加するための回路部分となっている。かかる機能を実現するため、スキャンパルス発生部のトランジスタＱ６〜Ｑ８には、夫々、データタイミング信号Ｔｄに対応した信号ＧＴ６〜ＧＴ８が印加されるようになっており、これらのトランジスタＱ６〜Ｑ８がオンオフすることにより、データタイミング信号Ｔｄに同期したタイミングにて（すなわち、アドレスドライバ３４１からの画素データパルスＤＰｊの出力タイミングに同期して）、各行電極Ｙｌに、順次、スキャンパルスＳＰが印加される。この結果、スキャンパルスＳＰが印加された行電極Ｙｌに属するセルＣＬのうち、画素データパルスＤＰｊが同時に印加されたセルＣＬにおいてのみ壁電荷が消滅し、当該セルＣＬが非発光状態に遷移する。
【００３６】
一方、サステインパルス発生部は、ＰＤＰ４のセルＣＬにおける発光維持期間を制御するためのサステインパルスＩＰｙ、ＩＰｘ（図５参照）を生成する回路部分であり、電源Ｂ１（Ｂ１１）と、トランジスタＱ１〜Ｑ４（Ｑ１１〜Ｑ４４）と、ダイオードＤ１〜Ｄ３（Ｄ１１〜Ｄ３３）と、コイルＬ１及びＬ２（Ｌ１１及びＬ２２）と、コンデンサＣ１（Ｃ１１）と、から構成されている。これらの素子中、トランジスタＱ１（Ｑ１１）及び電源Ｂ１（Ｂ１１）は、サステインパルスＩＰｙ、ＩＰｘの印加期間を制御するために設けられた素子であり、維持発光タイミング信号Ｔｙ、Ｔｘに対応する信号ＧＴ１によってトランジスタＱ１（Ｑ１１）がオンとなることによりサステインパルスＩＰｙ、ＩＰｘの電圧値が電源Ｂ１（Ｂ１１）からの供給電圧値に維持されることとなる。
【００３７】
これに対して、トランジスタＱ３（Ｑ３３）、ダイオードＤ２（Ｄ２２）、コイルＬ２（Ｌ２２）及びコンデンサＣ１（Ｃ１１）は、サステインパルスＩＰｙ及びＩＰｘの立ち上がり時間を制御するために設けられた素子である。この回路部分においては駆動制御部３３から供給される維持発光タイミング信号Ｔｙ（Ｔｘ）に対応する信号ＧＴ３（ＧＴ３３）によってトランジスタＱ３（Ｑ３３）がオンになり、このオンに乗じてコンデンサＣ１（Ｃ１１）からの放電が生じてサステインパルスＩＰｙ（ＩＰｘ）が徐々に立ち上がるようになっている。更に、トランジスタＱ２（Ｑ２２）、ダイオードＤ１（Ｄ１１）、コイルＬ１（Ｌ１１）及びコンデンサＣ１（Ｃ１１）は、サステインパルスＩＰｙ（ＩＰｘ）の立ち下がり時間を制御するために設けられた素子である。この回路部分においては駆動制御部３３から供給される維持発光タイミング信号Ｔｙ（Ｔｘ）に対応する信号ＧＴ２（ＧＴ２２）によってトランジスタＱ２（Ｑ２２）がオンになり、このオンに乗じてコンデンサＣ１（Ｃ１１）に対する蓄電が生じ、サステインパルスＩＰｙ（ＩＰｘ）が徐々に立ち下がることとなる。
【００３８】
ここで、上述のように、映像品質の劣化要因となる電磁波はＰＤＰ４に印加される駆動信号、特に印加回数の多い、画素データパルスＤＰｊと、サステインパルスＩＰｙ及びＩＰｘと、に起因して発生し、当該電磁波の周波数ｔｆ４はこれらパルス信号の周波数に依存する。このため、映像品質を向上させるためには、画素データパルスＤＰｊと、サステインパルスＩＰｙ及びＩＰｘの周波数を可変させることとが必要となる。この点、本実施形態においては、以下の方法により各パルス信号ＤＰｊ、ＩＰｙ、ＩＰｘの周波数を可変させている。
【００３９】
＜画素データパルスＤＰｊについて＞
まず、画素データパルスＤＰｊは、駆動制御部３３から供給されるデータタイミング信号Ｔｄに同期したタイミングにて出力され、このデータタイミング信号Ｔｄは、駆動クロック信号Ｇｃｋに同期したタイミングにて出力される構成となっている。従って、画素データパルスＤＰｊの周波数は、駆動クロック信号Ｇｃｋのクロック周波数ｆ３に比例して変動することとなり、システムクロック発生回路２３において駆動クロック信号Ｇｃｋの周波数ｆ３を可変させることにより、画素データパルスＤＰｊの周波数（図５における周期ＴＤの逆数として得られる）を可変できることとなる。
【００４０】
＜サステインパルスＩＰｙ及びＩＰｘについて＞
次いで、サステインパルスＩＰｙ及びＩＰｘについてだが、これらのパルスは、維持発光タイミング信号Ｔｙ（Ｔｘ）に含まれる信号ＧＴ１（ＧＴ１１）〜ＧＴ４（ＧＴ４４）に基づいて生成される（図２参照）。従って、サステインパルスＩＰｙ及びＩＰｘの周波数（図５における周期ＴＳの逆数として得られる）を可変させるためには、これらの信号ＧＴ１（ＧＴ１１）〜ＧＴ４（ＧＴ４４）を制御することが必要となる。かかる制御方法の具体的な内容について、図４を参照しつつ詳細に説明する。なお、図４において（ａ）は、本実施形態にかかる表示装置ＤＩＳにおいて利用されるサステインパルスと当該サステインパルスを生成するために必要な信号ＧＴ１〜ＧＴ４（ＧＴ１１〜ＧＴ４４）との関係を示したタイミングチャートであり、（ｂ）は、従来の表示装置において利用されるサステインパルスと当該サステインパルスを生成するために用いられる信号ＧＴ０１〜ＧＴ０４との関係を示したタイミングチャートである。
【００４１】
同図（ａ）に示すように、サステインパルスＩＰｙ（ＩＰｘ）の周期ＴＳは、ＧＴ１（ＧＴ１１）〜ＧＴ４（ＧＴ４４）の周期Ｔ１〜Ｔ４に依存した性質を持つことが分かる。また、サステインパルスＩＰｙ（ＩＰｘ）の周波数ｆ４は、周期ＴＳの逆数として得られるものであるため、駆動クロック信号Ｇｃｋの周波数ｆ３の変更に伴って、維持発行タイミング信号Ｔｙ（Ｔｘ）に含まれる信号ＧＴ１〜ＧＴ４の周期Ｔ１〜Ｔ４を可変させることにより、サステインパルスＩＰｙ及びＩＰｘの周波数ｆ４を可変させることが可能となる。本実施形態において、駆動制御部３３は、かかる観点から、駆動クロック信号Ｇｃｋの周波数ｆ３を可変させ、これにより維持発光タイミング信号Ｔｙ（Ｔｘ）に含まれる信号ＧＴ１〜ＧＴ４の周期Ｔ１〜Ｔ４を可変させる構成を採用することとした。
【００４２】
また、サステインパルスＩＰｙ及びＩＰｘについては印加されるパルス数が多く、電磁波の発生要因として大きなウェイトを占めるため、上記方法２に示したようにパルス波形を可変させ、電磁波の発生を抑制させることが必要となる。かかる波形調整のためには（１）サステインパルスＩＰｙ及びＩＰｘ立ち上がり及び立ち下がり特性を調整して受信周波数ｆ１の近傍の周波数成分の発生を防止すること、（２）サステインパルスＩＰｙ及びＩＰｘの立ち上がり及び立ち下がりに要する時間を従来（ｂ）におけるよりも長くして電磁波の放射量自体を減少させること、が必要となる。そこで、本実施形態においては、信号ＧＴ１〜ＧＴ４（ＧＴ１１〜ＧＴ４４）の印加時間ｔ１〜ｔ４を可変させ、サステインパルスＩＰｙ及びＩＰｘのパルス波形を変化させることとしている。
【００４３】
なお、かかる波形制御に際しては次の点に対する留意が必要である。
＜留意点１＞  セルＣＬの発光量は各セルＣＬに印加されるサステインパルスＩＰｙ及びＩＰｘのエネルギー量に依存するため、映像の鮮明さを維持するためにはサステインパルスＩＰｙ及びＩＰｘの有するエネルギー量（すなわち、タイミングチャート上におけるサステインパルスＩＰｙ及びＩＰｘの面積）を変化させることはできないということ、及び
＜留意点２＞  サステインパルスＩＰｙ及びＩＰｘの立ち上がり時間及び立ち下がり時間が長ければ長いほど（すなわち、両パルスＩＰｙ及びＩＰｘの電圧値が電源Ｂ１（Ｂ１１）の供給電圧値にクランプするまでの時間が長ければ長いほど）、電磁波の放射量を減少させることが可能となるが、上述のように本実施形態においては、各信号ＧＴ１（ＧＴ１１）〜ＧＴ４（ＧＴ４４）の周期Ｔ１〜Ｔ４を受信周波数ｆ１に応じて、可変させる構成を採用しているため、両パルスＩＰｙ及びＩＰｘの立ち上がり時間等を長くとってしまうと、隣接パルスに起因する影響により、正確な階調表示ができなくなる可能性がある、ということである。従って、上記印加時間ｔ１〜ｔ４は、これらの留意点を考慮しつつ決定することが必要となってくる。
【００４４】
なお、信号ＧＴ１〜ＧＴ４（ＧＴ１１〜ＧＴ４４）の印加時間ｔ１〜ｔ４の変更方法については任意であるが本実施形態においては、次の方法を採用しているものとして説明を行う。まず、サステインパルスＩＰｙ及びＩＰｘのパルス波形とＰＤＰ４から発生する電磁波の周波数成分との関係を実験的に求め、この実験結果に応じて各受信周波数ｆ１において最も影響の少ない信号ＧＴ１〜ＧＴ４（ＧＴ１１〜ＧＴ４４）の印加時間ｔ１〜ｔ４のパターン（以下、「印加パターン」という。）を予め決定しておく。そして、この印加パターンを事前に駆動制御部３３にプログラミングしておき、周波数可変部５において検出された受信周波数ｆ１に応じて印加時間ｔ１〜ｔ４の印加パターンを変更するのである。この方法を採用することにより、チューナ１の受信周波数ｆ１に応じて信号ＧＴ１〜ＧＴ４（ＧＴ１１〜ＧＴ４４）の印加時間ｔ１〜ｔ４を変更し、当該受信周波数ｆ１に対して最も影響の少ない波形にサステインパルスＩＰｙ及びＩＰｘのパルス波形を変化させることが可能となる。なお、信号ＧＴ１〜ＧＴ４の印加時間ｔ１〜ｔ４の具体的な変更方法は任意であり、例えば、各印加パターンに応じた複数の回路を駆動制御部３３に設け利用する回路を切り換えるようにしても良く、ソフトウェア的に変更するようにしても良い。
【００４５】
次いで、周波数可変部５は、チューナ１における受信周波数ｆ１を検出し、この検出結果に応じてシステムクロック信号Ｓｃｋの周波数ｆ２及び駆動クロック信号Ｇｃｋの周波数ｆ３を制御すると共に、駆動制御部３３を制御して上述した印加時間ｔ１〜ｔ４を可変させる。かかる機能を実現するため、本実施形態において、この周波数可変部５には、図示せぬメモリが設けられており、このメモリには、システムクロック信号Ｓｃｋの周波数ｆ２及び駆動クロック信号Ｇｃｋの周波数ｆ３、更には、印加時間ｔ１〜ｔ４を制御するための管理テーブルＴＢＬが記録されている。
【００４６】
この管理テーブルＴＢＬの記録内容の一例を図３に示す。同図に示すように、本実施形態において、この管理テーブルＴＢＬにはチューナ１における各受信周波数ｆ１毎にシステムクロック発生回路２３及び駆動クロック発生回路３２から出力するクロック信号Ｓｃｋ及びＧｃｋの周波数設定値が格納されている。この管理テーブルＴＢＬに格納されている周波数設定値は、共に周波数ｆ２及びｆ３が受信周波数ｆ１に対して、ｆ１≠ｎｆ２及びｍｆ３（ｎ、ｍは共に整数）の関係となるように設定されており、周波数可変部５は、管理テーブルＴＢＬに格納された設定値に基づいてシステムクロック発生回路２３及び駆動クロック発生回路３２を制御することで、周波数ｆ２及びｆ３を可変させるようになっている。
【００４７】
また、この管理テーブルＴＢＬには、各受信周波数ｆ１において設定すべき印加パターンが格納されており、周波数可変部５は、管理テーブルＴＢＬに格納された印加パターンに応じて駆動制御部３３を制御するようになっている。
【００４８】
［１．２］実施形態の動作
次に、上記構成を有する本実施形態にかかる表示装置ＤＩＳの具体的な動作について説明する。まず、ユーザが表示装置ＤＩＳの図示せぬ操作部に対して受信周波数ｆ１を変更する旨の入力操作を行うと当該入力操作に応じてチューナ１の受信周波数ｆ１が変更される。すると、周波数可変部５は、当該変更後の受信周波数ｆ１を検出し、当該周波数ｆ１に基づいて管理テーブルＴＢＬを検索する。
【００４９】
なお、この際、周波数可変部５において受信周波数ｆ１を検出する方法は任意である。例えば、チューナ１における受信信号を周波数可変部５に供給するようにし、周波数可変部５において、この受信信号から受信周波数ｆ１を検出するようにしても良い。また、ユーザに受信周波数を指定させる方法を採用する場合、ユーザの入力操作を周波数可変部５において検出し、当該入力操作に基づきユーザの指定した受信周波数ｆ１を検出するようにしても良い。更には、事前に受信周波数ｆ１とチャネル番号を設定しておき、ユーザが選択したチャネル番号に応じて受信周波数ｆ１を検出するようにしても良い。
【００５０】
次いで、周波数可変部５は、この受信周波数ｆ１に対応する周波数設定値及び印加パターンを管理テーブルＴＢＬから読み出し、当該読み出した周波数設定値を示す制御信号をシステムクロック発生回路２３及び駆動クロック発生回路３２に供給すると共に、当該印加パターンを示す制御信号を駆動制御部３３に供給する。この結果、システムクロック発生回路２３及び駆動クロック発生回路３２においては、システムクロック信号Ｓｃｋの周波数ｆ２及び駆動クロック信号Ｇｃｋの周波数ｆ３の値が変更される。このようにして、周波数ｆ２及びｆ３が変更されると、表示データ生成部２３においては周波数ｆ２を変更した後のシステムクロック信号Ｓｃｋを利用して映像信号Ｓｔｖに対応した表示データＳｄが生成されると共に、周波数ｆ３変更後の駆動クロック信号Ｇｃｋに基づいて制御信号Ｓｃが生成され、当該制御信号Ｓｃに基づいてフレームメモリ３１に対する表示データＳｄの書き込み及び読み出しが行われることとなる。
【００５１】
一方、駆動制御部３３においては、周波数ｆ３変更後の駆動クロック信号Ｇｃｋに基づいてデータタイミング信号Ｔｄが生成されると共に、周波数ｆ３が変更された駆動クロック信号Ｇｃｋに基づいて維持発行タイミング信号Ｔｘ、Ｔｙ及びリセット信号Ｔｒが生成されることとなり、これら各信号の周波数が、これに伴って変化することとなる。
【００５２】
また、駆動制御部３３においては、周波数可変部５から供給される制御信号に基づいて信号ＧＴ１（ＧＴ１１）〜ＧＴ４（ＧＴ４４）の印加パターンが設定され、当該新たに設定された印加パターンに従って維持発光タイミング信号Ｔｙ及びＴｘが生成される。この結果、両サステインドライバ３４２及び３４３のサステインパルス発生部に供給される信号ＧＴ１〜ＧＴ４の印加時間ｔ１〜ｔ４が変更されてサステインパルスＩＰｙ及びＩＰｘのパルス波形が変化し、当該波形変化後のサステインパルスＩＰｙ及びＩＰｘを用いてＰＤＰ４が駆動されることとなる。
【００５３】
この際における駆動制御部３３及び駆動部３４の具体的な動作について図５を参照しつつ説明する。なお、図５は、駆動部３４における駆動シーケンスを示す図である。
【００５４】
この際、駆動制御部３３は、まず、リセット期間の到来タイミングにおいてリセット信号Ｔｒを生成し、駆動部３４の第１及び第２サステインドライバ３４２及び３４３に供給する。この結果、両サステインドライバ３４２及び３４３に設けられたリセットパルス発生部のトランジスタＱ５及びＱ５５に当該リセット信号Ｔｒに対応した信号ＧＴ５及びＧＴ５５が印加されて、両トランジスタＱ５及びＱ５５がオンとなる。このトランジスタＱ５及びＱ５５のオンを契機として、全セルＣＬに対してリセットパルスＲｐｙ及びＲｐｘが印加されて、全てのセルＣＬに所定量の壁電荷が蓄積され、発光可能状態に移行する。
【００５５】
その後、所定時間経過して、アドレス期間が到来すると、駆動制御部３３は周波数ｆ２が変更された後のシステムクロック信号Ｓｃｋに同期してデータタイミング信号Ｔｄを生成し、当該データタイミング信号Ｔｄを駆動部３４のアドレスドライバ３４１及び第１サステインドライバ３４２に供給する。この結果、アドレスドライバ３４１においては、表示データＳｄに基づいて画素データパルスＤＰｊが生成されると共に、駆動制御部３３から供給されるデータタイミング信号Ｔｄに同期して、この画素データパルスＤＰｊが列電極Ｄｋに印加される。この結果、画素データパルスＤＰｊの周期ｔｆ４が駆動クロック信号Ｇｃｋの周波数ｆ３に伴って、可変されることとなる。
【００５６】
また、このアドレス期間中、第１サステインドライバ３４２のスキャンパルス発生部においてはデータタイミング信号Ｔｄに対応した信号ＧＴ６〜ＧＴ８が印加されることによってスキャンパルスＳＰが生成され、当該生成されたスキャンパルスＳＰが画素データパルスＤＰｊに同期したタイミングにて順次行電極Ｙｌに印加されることとなる。この結果、スキャンパルスＳＰが印加された行電極Ｙｌに属するセルＣＬの内では画素データパルスＤＰｊが同時に印加されている場合にのみ放電が生じ、その壁電荷が消去されて非発光状態となる。なお、この際、画素データパルスが同時に印加されなかったセルＣＬでは放電が生じないため、壁電荷が残留して発光可能状態が維持されることとなる。
【００５７】
次いで、サステイン期間が到来すると、駆動制御部３３は、周波数ｆ３が変更された後の駆動クロック信号Ｇｃｋに基づいて維持発行タイミング信号Ｔｙ、Ｔｘを生成することとなり、両信号Ｔｙ、Ｔｘに対応した信号ＧＴ１（ＧＴ１１）〜ＧＴ４（ＧＴ４４）の周期Ｔ１〜Ｔ４が周波数ｆ３の変更に伴って変化することとなる。
【００５８】
また、駆動制御部３３は、新たに設定された印加パターンに従って維持発光タイミング信号Ｔｙ及びＴｘを生成して駆動部３４に供給する。一方、第１及び第２サステインドライバ３４２及び３４３においては、この維持発光タイミング信号Ｔｙ及びＴｘに対応する信号ＧＴ１〜ＧＴ４及びＧＴ１１〜ＧＴ４４がトランジスタＱ１〜Ｑ４及びＱ１１〜Ｑ４４に印加され、サステインパルス発生部において順次サステインパルスＩＰｙ及びＩＰｘが生成され、この結果、サステインパルスＩＰｙ及びＩＰｘの周期ＴＳと波形が変更されることとなる。
【００５９】
この際、サステインパルス発生部においては、トランジスタＱ１及びＱ２（Ｑ１１及びＱ２２）がオフの状態において、信号ＧＴ３（ＧＴ３３）によりトランジスタＱ３（Ｑ３３）がオンとなり、コンデンサＣ１（Ｃ１１）に蓄えられている電荷が行電極Ｙｌ（Ｘｌ）に供給され、サステインパルスＩＰｙ及びＩＰｘが立ち上がる。そして、信号ＧＴ３（ＧＴ３３）の印加が開始されてから時間ｔ３経過後にトランジスタＱ３（Ｑ３３）がオフとなり、逆にトランジスタＱ１（Ｑ１１）は、信号ＧＴ１（ＧＴ１）によりオン（Ｑ２はオフ状態を継続）の状態となる。この結果、サステインパルスＩＰｙ（ＩＰｘ）の電圧値は、電源Ｂ１（Ｂ１１）の供給電圧値に移行する。
【００６０】
この状態は、時間ｔ１だけ継続し、ｔ１経過後、信号ＧＴ１（ＧＴ１１）に基づいてトランジスタＱ１（Ｑ１１）がオフになるのに合わせて、信号ＧＴ２（ＧＴ２２）によりトランジスタＱ２がオン、Ｑ３（Ｑ３３）がオフの状態に移行する。この結果、セルＣＬに蓄えられていた電荷に基づいてコンデンサＣ１（Ｃ１１）が充電され、サステインパルスＩＰｙ（ＩＰｘ）は徐々に立ち下がることとなる。
【００６１】
その後、以上説明した一連の動作が繰り返され、ＰＤＰ４上に各種映像が表示されることとなる。
【００６２】
このように、本実施形態にかかる表示装置ＤＩＳは、複数の画素に対応したセルＣＬがマトリクス上に配列されたマトリクス型式のＰＤＰ４と、受信周波数ｆ１にて放送される映像信号を受信するチューナ１と、受信周波数ｆ１の値を検出する周波数可変部５と、映像信号に対する信号処理の基準となるシステムクロック信号Ｓｃｋを周波数ｆ２にて発生するシステムクロック発生回路２３及び駆動クロック発生回路３２と、システムクロック信号Ｓｃｋに従い映像信号に信号処理を施す表示データ生成部２４と、表示データＳｄに基づいて駆動信号を周波数ｆ４にて生成し、当該駆動信号をＰＤＰ４に供給するパネル駆動回路３と、を備え、周波数可変回路５は、受信周波数ｆ１の検出結果に応じて、周波数ｆ２及び周波数ｆ４の少なくとも何れか一方を変更させる構成となっている。
【００６３】
この構成により、システムクロック信号Ｓｃｋ及び駆動信号の周波数ｆ２及びｆ４の少なくとも何れか一方が、受信周波数ｆ１に基づいて変更されることとなる。このため、（ａ）クロック信号生成時にシステムクロック発生回路２３及び駆動クロック発生回路３２に起因して発生する電磁波や（ｂ）ＰＤＰ４に起因して発生する電磁波に基づく映像品質への影響を抑制し、映像品質の飛躍的な向上を図ることが可能となる。
【００６４】
また、本実施形態にかかる表示装置ＤＩＳによれば、放送波の受信に影響を与えない周波数に周波数ｆ２及びｆ４の少なくとも何れか一方を変更し、更に、高調波成分（周波数ｆ２及びｆ３の整数倍の周波数）についても受信周波数ｆ１と異なるように変更されるため、映像品質の更なる向上を図ることが可能となる。
【００６５】
また更に、本実施形態にかかる表示装置ＤＩＳによれば、ＰＤＰ４から発生する不要輻射に対する対策として、サステインパルスＩＰｙ及びＩＰｘの波形を可変させる構成を採用しているため、電磁波の発生自体を抑制し、併せて、ＰＤＰ４から発生する電磁波に含まれる所定周波数成分による映像品質の劣化を理論上、ほぼ完全に除去することが可能となる。
【００６６】
なお、上記実施形態においては、ＰＤＰ４を搭載した表示装置ＤＩＳにおいて不要輻射による電磁波の影響を低減する方法を例に説明を行ったが、例えば、液晶パネルや有機ＥＬパネル等のマトリクス型式の表示パネルを搭載した表示装置においても同様の方法を採用することにより、不要輻射による電磁波の影響を低減することが可能である。
【００６７】
また、上記実施形態においては、（１）システムクロック信号Ｓｃｋの周波数ｆ２及び駆動クロック信号Ｇｃｋの周波数ｆ３の変更と併せて、（２）駆動信号の周波数ｆ４をも変更する構成を採用していたが、何れか一方の方法のみを適用するようにしても良い。
【００６８】
また更に、上記実施形態においては、システムクロック信号Ｓｃｋの周波数と共に、駆動クロック信号Ｇｃｋの周波数をも可変させる構成を採用したが、何れか一方のみを可変させるようにしても良い。
【００６９】
更に、上記実施形態においては、上記方法１と、上記方法２とを併用する方法を採用していたが、ＰＤＰ４において発生する電磁波に起因する映像品質への影響に関しては、上記方法１により十分に低減可能であるため、上記方法１のみを採用することも可能である。
【００７０】
更にまた、上記実施形態においては、周波数ｆ２及びｆ３を受信周波数ｆ１と異なる周波数に固定する方法を採用していたが、上記のように、これらの周波数ｆ２及びｆ３は、所定時間毎に経時的に逐次変動させる（すなわち、所定クロック数毎に周波数ｆ２を可変させる）ようにしても良い。この場合、上記変調回路に対して所定の乱数を入力し、変調回路における変調周波数を変動させるようにすることが可能である（ただし、この乱数は周波数可変回路５からの制御信号によって可変され、周波数ｆ２≒ｆ１となる関係を除くように変調周波数を設定するものとする）。なお、かかる方法に関しては、上述した特開２０００−３３８９３２号公報に示された方法と同様であるため詳細は省略する。
【００７１】
また、上記実施形態においては、上記実施形態においては、管理テーブルＴＢＬ内に各受信周波数ｆ１毎に印加パターンを格納し、当該印加パターンを用いて信号ＧＴ１〜ＧＴ４（ＧＴ１１〜ＧＴ４４）の印加時間ｔ１〜ｔ４を設定する構成を採用していた。しかし、表示装置ＤＩＳの設置エリアが特定されている場合には当該エリアにて受信可能なチャネルの受信周波数ｆ１が予め把握できるので、これら全ての受信周波数ｆ１と周波数ｔｆ４とが一致しないように予め印加パターンを設定しておくようにしても良い。
【００７２】
また更に、上記実施形態においては、駆動制御部３３に印加パターンを予めプログラミングしておく方法について説明したが、駆動制御部３３に各印加パターンに対応した回路を設け、受信周波数ｆ１に応じて、回路の切換を行うようにしても良い。
【００７３】
また更に、上記実施形態においては、サステインパルスＩＰｙ及びＩＰｘのパルス波形のみを変更する構成を採用していたが、スキャンパルスＳＰや画素データパルスＤＰｊの波形も変更するようにしても良い。
【図面の簡単な説明】
【００７４】
【図１】第１実施形態における表示装置ＤＩＳの構成を示すブロック図である。
【図２】同実施形態における駆動部３４の回路構成を示す図である。
【図３】同実施形態における管理テーブルＴＢＬの記録内容の一例を示す図である。
【図４】（ａ）は、本実施形態にかかる表示装置ＤＩＳにおいて利用されるサステインパルスと当該サステインパルスを生成するために必要な信号ＧＴ１〜ＧＴ４との関係を示したタイミングチャートであり、（ｂ）は、従来の表示装置において利用されるサステインパルスと当該サステインパルスを生成するために用いられる信号ＧＴ０１〜ＧＴ０４との関係を示したタイミングチャートである。
【図５】同実施形態の駆動部３４において実行される駆動シーケンスを示すタイミングチャートである。
【符号の説明】
【００７５】
ＤＩＳ・・・表示装置
１・・・チューナ
２・・・映像処理回路
３・・・パネル駆動回路
４・・・ＰＤＰ
５・・・周波数可変部
【図１】
2006237997.tif 000003
【図２】
2006237997.tif 000004
【図３】
2006237997.tif 000005
【図４】
2006237997.tif 000006
【図５】
2006237997.tif 000007